(57)【要約】  化学物質が含浸された基体を加熱することによって空気処理化学物質を分配するのに好適な装置が開示される。この装置は、テーブル形状のヒータを有し、このテーブルの表面から含浸された基体に直接熱を放射する。基体は、ヒータに向けて空気処理化学物質を放出する。横向き空気経路によって、揮発性化学物質の通気を可能にする。こうした装置を組み立てるための方法もまた開示される。
2009527253.tif 000002
【特許請求の範囲】
【請求項１】
ハウジングと、
ハウジングに位置付けられ、対向壁を有するテーブル形状にあるヒータであって、少なくとも対向壁から熱を放射することができる、前記ヒータと、
熱が対向壁から放射されるとき熱が少なくとも基体の一部に向けて放射され、基体が対向壁に向かって少なくとも部分的に空気処理化学物質を放出させるように、対向壁に隣接して基板を取り付けるための手段と、
前記基体が前記取付け手段によってハウジングに取り付けられたならば、空気がハウジング内の対向壁と基体との間に流入し、かつ、ハウジングから出て行くことを可能とするハウジング内の空気経路構造と、
を含む、揮発性空気処理化学物質を担持する基体を取り付けると、空気処理化学物質を基体から分配できる、空気処理化学物質分配装置。
【請求項２】
ヒータ・テーブルが、空気経路構造の一部に熱を放射することができる側壁構造をさらに有する、請求項１に記載の装置。
【請求項３】
空気経路構造は、対向壁を横断して延出するように、装置の対向する側面上に配置される吸気孔及び排気孔を含む、請求項１に記載の装置。
【請求項４】
ハウジングに取り付けるための手段によって取り付けられる基体をさらに含む、請求項１に記載の装置。
【請求項５】
基体は、対向壁に隣接して位置付けられる突出ノーズを有する、請求項４に記載の装置。
【請求項６】
基体は、対向壁と接触して位置付けられる突出ノーズを有する、請求項５に記載の装置。
【請求項７】
ヒータが起動されると、基体が加熱され、それによって空気処理化学物質を空気経路構造を介して通過する空気中に放出する、請求項４に記載の装置。
【請求項８】
揮発性空気処理化学物質は、昆虫防除剤、芳香剤、及び防臭剤から成る群から選択される、請求項１に記載の装置。
【請求項９】
揮発性空気処理化学物質が昆虫防除剤である、請求項８に記載の装置。
【請求項１０】
揮発性空気処理化学物質が、トランスフルスリン及びメトフルスリンから成る群から選択される、請求項９に記載の装置。
【請求項１１】
ハウジングと、
一部が外部後方に延出する、ハウジング内に取り付けられる電気プラグ構造と、
ハウジング内の電気プラグ構造に連結されるヒータと、
ヒータを被覆しハウジングに取り付けられるカバー・ユニットと、
を含み、
前記カバー・ユニットは、基体がヒータと向き合う基体の第１の壁を有し、一方、基体の第１の壁とは反対側にある基体の第２の壁が本質的にカバー・ユニットによって被覆されるように、基体を取り付ける、
揮発性空気処理化学物質を担持する基体を取り付けると、空気処理化学物質を基体から分配することができる、空気処理化学分配装置。
【請求項１２】
ハウジング、電気プラグ構造、ヒータ、及びカバー・ユニットがそれらの間の相対的軸方向移動によって組み立てることができる、請求項１１に記載の装置。
【請求項１３】
スナップフィット結合が、ハウジング、電気プラグ構造、ヒータ、及びカバー・ユニットのうちの少なくとも２つの組み立てを容易にする、請求項１２に記載の装置。
【請求項１４】
ヒータは、対向する壁と側壁構造を有するテーブルの形状であり、前記ヒータは、装置が組み立てられ電気によって作動されるときに対向する壁と側壁構造から熱を放射することができる、請求項１１に記載の装置。
【請求項１５】
ヒータの一部が電気プラグ構造にはめ込まれる、請求項１１に記載の装置。
【請求項１６】
一部が外部後方に延出する状態で、電気プラグ構造を相対的軸方向移動することによってハウジング内に設置し、
電気プラグ構造にはめ込まれるまで相対的軸方向移動することによってハウジング内にヒータを設置し、
カバー・ユニットの上に基体を位置付けつつ、相対的軸方向移動することによってカバー・ユニットをハウジングに取り付けることと、
を含む、請求項１１に記載の装置を組み立てるための方法。
【発明の詳細な説明】
【技術分野】
【０００１】
関連出願への相互参照
適用なし。
【０００２】
連邦政府によって提供された研究又は開発に関する陳述
適用せず。
【０００３】
本発明は、化学物質が含浸された又は塗布された基体（サブストレート）を加熱することによって揮発性空気処理化学物質を分配する装置に関する。より詳細には、本発明は、効果的に熱を利用し容易に組み立てられるような装置に関する。
【背景技術】
【０００４】
基体（特に多孔性基体）は、昆虫防除剤（殺虫剤、防虫剤、昆虫発育調節剤、誘引物質、相乗剤など）、芳香剤、及び防臭剤などの空気処理化学物質用の担持体（キャリア）として以前から使用されている。例えば米国特許第６，５５１，５６０号を参照（特許文献１）。この特許の開示、及び本明細書中に参照される他の全て特許は、その全体が本明細書に示されるものとして参照により組み込まれる。
【０００５】
基体を加熱すると同時に、揮発性空気処理化学物質は基体から分配されるようになっている。熱源は一般に電気ヒータであるが、一部の例では火炎を代用してもよい。
【０００６】
種々の空気処理機能はこうした装置で達成することができる。たとえば、揮発性殺虫剤が含浸された多孔性基体は、密閉された寝室内で蚊に刺されないようにするために使用できる。あるいはまた、防臭物質又は臭気制御物質は、悪臭に対処し、又は単に所望の芳香をもたらすために分配することができる。
【０００７】
こうした装置に関する１つの問題は、基体が通常はヒータにもたれて若しくはヒータの近くに置かれていることである。ヒータが基体を加熱すると、揮発性空気処理化学物質がヒータ表面から離れる方向に（基本的に垂直に）基体から押し出される。このことはある非効率性を生じることがある。たとえば、ヒータに隣接した基体の部分は、活性物質を放出している基体の部分に対する断熱材としての働きをすることがあり、分配の調整をより困難にする。
【０００８】
このような装置に関する別の問題は、装置に隣接する限られた環境で空気を適切に処理するために使用を開始した後、時間がかかり得ることである。たとえば、ある人が寝ようとするときに寝室で装置を作動させる可能性がある。その寝室内で防虫に関して安心できるまで長い間待つ必要があることは望ましくない。ヒータが、該ヒータから離れる方向を向いた表面から最も効率的な分配をさせるのに基体の垂直方向の全面を加熱しなければならないのであれば、それは起動用範囲の作動を遅らせる可能性がある。
【０００９】
他の開発である米国特許出願公開番号第２００２／００６６７９８号では、香水ディスペンサの組立てにおけるスナップフィット結合のタイプの使用が開示されている。しかしながら、その組立てはひどく複雑であった。
【特許文献１】米国特許第６，５５１，５６０号
【発明の開示】
【発明が解決しようとする課題】
【００１０】
このように、今までのところ従来技術の空気処理化学物質を分配するための加熱ディスペンサは、熱を基体に加える方法又は構造を組み立てる方法に関して最適でなかった。したがってこうした問題に対処する装置が望まれ続けている。
【課題を解決するための手段】
【００１１】
一態様において、本発明は、揮発性空気処理化学物質を担持する基体を取り付けると同時に基体から空気処理化学物質を分配できる空気処理化学分配装置を提供する。この装置は、ハウジング、及びハウジング内に位置付けられるヒータを有する。このヒータは、対向壁を有するテーブル形状であり、少なくとも対向壁から熱を放射することができる。熱が対向壁から放射されるときに少なくとも一部分が基体に向かって放射して、基体が少なくとも部分的に対向壁に向かって空気処理化学物質を放出させ得るように、対向壁に隣接して基体を取り付けるための手段がある。
【００１２】
取り付け手段は機械的である(例えば弾性フィンガである）ことが好ましい。しかしながら、接着剤、ファスナ、及び他の機械的保持器などを取り付けるための他の好適な手段でも可能である。
【００１３】
いずれにしても、（基体が取り付け手段によってハウジング内に取り付けられる場合には）ハウジング内及びその内部を通過する空気経路構造がさらにあり、空気がハウジング内の対向壁と基体との間に流入し、かつ、ハウジングから出ていくことを可能にする。
【００１４】
特別に好ましい形式において、ヒータはまた、空気経路構造の一部に熱を放射することができる側壁構造を有する。これは、吸気孔及び排気孔を有する空気経路構造とともに使用され、これら吸気孔と排気孔はそれぞれ装置の反対側にある側面上に配置されることが好ましい。このようにして、空気は１つの孔に吸引され、ヒータの側面を横切って部分的に通過し、ヒータの対向壁を横切るように部分的に通過し、排気孔から外に出る。基体付近の空気は放出された空気処理化学物質と混合することになる。そして処理された空気は排気孔から放出されることになる。
【００１５】
空気流は少なくとも一部分がヒータと基体との間にあるので、この横断する空気経路は特に望ましい。さらに、吸気孔が装置の底部にある(装置は、垂直のコンセントにプラグ接続されるときに位置付けられる)ので、加熱された空気は当然排気孔に向かって上昇することになり、さらに流れを効率的に向上させる。
【００１６】
基体がこのようにして取り付けられる場合、対向壁と接触して（又はほぼ接触状態に）位置付けられる突出ノーズを有することが最も好ましい。基体の残りの部分はヒータに接触しないようになる。ゆえに、熱はノーズに直接伝達されるが、更なる加熱空気が基体及びヒータ間のノーズ周囲を通過する。
【００１７】
揮発性空気処理化学物質は、昆虫防除剤、芳香剤、及び防臭剤から成る群から選択できる。たとえば、揮発性空気処理化学物質は、天然ピレスリン、ピレスラム抽出物、合成ピレスロイド、他の揮発性昆虫防除剤、及びそれらの混合物から成る群から選択される昆虫防除剤であればよい。
【００１８】
別の形式において、本発明は、揮発性空気処理化学物質を担持する基体を取り付けると同時に空気処理化学物質を基体から分配できる空気処理化学物質分配装置を提供する。この装置は、ハウジング、一部が後方外部に延出するハウジング内に取り付けられる電気プラグ構造、ハウジング内の電気プラグ構造に連結されるヒータ、及びハウジングに取り付け可能なヒータを被覆するためのカバー・ユニットを有する。このカバー・ユニットは、基体がヒータと対向する基体の第１の壁を有し、第１の壁の反対側にある基体の片側にある基体の第２の壁がカバー・ユニットによって本質的に被覆されるように、基体への取り付けが好適であるように構成される。
【００１９】
このような構造により、低コストで自動化され得る簡単な組み立てが可能になる。たとえば、ハウジング、電気プラグ構造、ヒータ、及びカバー・ユニットは、それらの間の相対的軸方向移動によって組み立てられ、好ましくは組み立ての一部としてスナップフィット・テレスコープ式接続が用いられる。
【００２０】
さらに別の形式において、本発明はこうした装置を組み立てる方法を提供する。一部が外部後方に延出する状態で電気プラグ構造をハウジングに設置することができる。ヒータをハウジング内に設置し、電気プラグ構造にはまり込むまで軸方向に移動させる。カバー・ユニットはハウジングに取り付けられ、該カバー・ユニットはハウジング上に位置付けられる基体を有する。
【００２１】
基体は揮発性空気処理化学物質が塗布され又は含浸されるのが好ましい。最も好ましいバージョンにおいて、基体は、空気処理化学物質をヒータに向けて運ぶ傾向があるように構成される。このことが発生し得るのは、基体がフェノール樹脂と結合される顆粒状砂粒子を有し、粒径がヒータに隣接する基体の部分において、より小さいからである。
【００２２】
本発明の装置が安価で製造でき、極めて有効に熱を利用することを理解されたい。本発明の上記及び他の利点は以下の説明から明らかとなる。以下の記載において、その一部を構成する添付図面が参照され、一例として、かつ制限するものでなく、発明の予想される好ましい実施の形態が示される。このような実施の形態は発明の全範囲を必ずしも表わすとは限らず、従って発明の範囲を理解するために添付の特許請求の範囲を参照すべきである。
【発明を実施するための最良の形態】
【００２３】
まず図１を参照すると、空気処理装置１０は、後部１２Ａ及び前部１２Ｂを有する外部ハウジング１２を有する。電気プロング構造１４はハウジング１２の後部１２Ａに位置付けられ、そこから外部後方に延出する後端部を有する。
【００２４】
さらに前部のハウジング部分１２Ｂにはカバー・ユニット１８が取り付けられている。カバー・ユニット１８は、基体２２の本質的に外面前方を被覆するが、ハウジングの内部に向かって開放するように基体２２（特に図２を参照）を装着する。
【００２５】
特定の好ましいバージョンにおいて、外部前方に突出するようにカバー・ユニット１８に取り外し可能に装着できる個別に設置可能なインジケータ・ユニット２６がある。インジケータ・ユニット２６はカバー・ユニット１８から取り外し可能であることが好ましく、別個のカップ形状の構造４４のインジケータ化学物質を収容し、これは基体２２に残留する空気処理化学物質の量をユーザに指示することができる。インジケータ・ユニット２６は、握りやすいタブ４７を備えた取り外し可能リッド４２を有してもよい。インジケータ・ユニット２６の後部は、カバー・ユニット１８内に形成されたウエル３８内に延出して、壁４８を介したインジケータ・ユニットへの一部の熱伝達を容易にする。
【００２６】
装置１０は、垂直壁１６上の電気ソケットにプラグ接続されることが最も好ましい。本発明における方向を表わす用語は、その取り付けのタイプに留意して使用される。しかしながら、水平面若しくは他の表面上の適切な電気ソケットもまた、電力を供給するために使用され得る。このように、「前部」、「後部」、「上部」、「下部」及び「側部」などの用語は、装置がその取り付けのタイプに対して使用される場合に類推的に解釈されるべきである。
【００２７】
これら図面に示される電気プロング構造１４は一例にすぎない。この種の円筒型プロングは、一部の国々では電力に連結するために好適である。しかしながら、他の国々では、ブレード・プロング、ブレード、円筒形、他の形状のプロング要素の混合物を用いて利用可能な電力源への接続を提供するために使用されることになる（当該技術分野では十分理解されているように）。
【００２８】
前方ハウジング１２はその上下両側に一連の細長い通気孔３０を有する。これら通気孔３０Ａは、周囲から空気が入ることを可能にすることによって、空気経路の吸気部を形成する。空気は図２の矢印によって示されるように通過する。
【００２９】
ヒータ５６が、前面壁６１と側壁構造６３とを有するテーブル形状であることに留意されたい。熱は基体２２に向けて、さらにテーブル周囲の横方向に放射する。それゆえ、通気孔３０Ａに入った空気は非常に速く且つ効果的に熱くなる。
【００３０】
基体２２上の鼻状（ノーズ）突起２５が対向壁６１と直接接触状態にあり得ることもまた留意されたい。これにより直接熱伝達が可能になる。それにもかかわらず、いくらかの加熱された空気が、テーブルと向かい合う基体の壁６５と対向壁６１との間を通過するときにノーズの側面に沿って更なる熱が加えられ得る。
【００３１】
このことは、装置が最初に作動されるときに、殺虫剤若しくは他の空気処理化学物質の極めて高速な噴出（burstバースト）を引き起こすことに特に有効である。したがって、部屋が適切に、非常に急速に処理され得る。さらに、基体２２が空気処理化学物質を壁６５に向けて毛管作用で運ぶタイプである場合には、装置が１日遮断され、その後、再び作動された後に噴出を繰り返すこともできる。
【００３２】
空気処理化学物質が対向壁６１に隣接する空気内に放出された後に、その空気が排気孔３０Ｂから出るまで対向壁６１に沿ってほぼ横切るように通過することになる。これにより、周囲環境の空気が空気処理化学物質で処理される。
【００３３】
好ましい基体形状が前方円錐台形状部２３及び後方に突出するノーズ２５を有する基体であるが、他の形状を使用することができ、突出部はあってもなくてもよい。基体２２は、加熱されると基体２２から分配され得る揮発性空気処理化学物質で完全に含浸されるのが好ましい。しかしながら、空気処理化学物質で完全に含浸される代わりに、基体２２が部分的にのみ含浸され、又は単に化学物質で塗布されていてもよい。
【００３４】
装置全体１０のハウジング１２は、外部ハウジング壁に対して十分な断熱用ギャップを介してテーブル形状のヒータを包囲し、側壁が加熱されすぎないようにする。ヒータは、電気プロング構造１４の後端をアウトレットに挿入することによって起動されるのが好ましい。ヒータ５６からの熱は、一連の開口部３２及び３６（図４Ｄを参照）を通ってカバー・ユニット１８の他の表面を通過することも可能とされる。壁４８が装置の前部を通って分配される空気を有効に遮断することに留意されたい。
【００３５】
次に図３を上から下まで（設置された装置の前方から後方までを）参照すると、装置１０は取り外し可能カバー・ユニット１８（ここではインジケータ・ユニット２６なしで示される）を有し、基体をカバー・ユニットに位置付けた後に部分組立品においてヒータ５６とロック式に係合する。これは、スナップフィット結合や、バイオネット接続、又は他の手段によって達成できる。
【００３６】
ヒータ囲い壁５６Ａは、アルミニウム接点６０、サーマル・カットオフ（ＴＣＯ）６２、サーミスタ６４、ライト７０に用いられるネオン管、及びレジスタ７２に連結され、これらすべては、加熱囲い壁５６Ａの下部とはめ込み式に連結係合する。ＴＣＯ６２及びライト７０は、対応するシリコン・スリーブ７４と連結係合する端部をそれぞれ有し、これらスリーブはハウジング１２の対応する穴に嵌り込む。星型接点６６は、アルミニウム接点６０と、ピン・ブリッジ６９を形成する２つのプラグ・デッキ６８の１つとの間に挿入されるのが好ましい。言い換えると、ピン・ブリッジ６９はハウジング１２に嵌り込むのが好ましく、それによって装置１０を完成させる。
【００３７】
アセンブリの主要部品が工具なしで、さらにほとんどの場合に単純な軸方向相対的運動で組み立てることが可能であることを理解されたい。これにより、装置の製造は極めて安価になる。
【００３８】
いったん装置がプラグ接続されると、電流は電気プロング構造１４内を流れてヒータ及びオン・ライト７０を駆動する。オーバーヒートはＴＣＯによって防止される。
【００３９】
ヒータ囲い壁５６Ａは環境に好適な材料（例えば熱抵抗金属、プラスチック類など）から形成され得る。ヒータに多数の形態がある場合、抵抗ヒータは好ましい。しかしながら、一部の形式において、火炎、触媒バーナーや他の燃焼源がテーブルを加熱することもある。
【００４０】
さらに、種々の抵抗要素が使用され得るが、低抵抗サーミスタ６４が好ましく、これは、ゼロ・パワー抵抗が温度の上昇とともに増加する正の温度係数を有する。
【００４１】
次に図４Ａから図４Ｅを参照すると、装置１０のはめ込み式スナップフィット組立て方法が示されている。最も好ましい形態において、装置１０の各構成要素は、はめ込み式に取り付けることが好ましく、ある場合には、これら部品が共にスナップフィットしてアセンブリを固定する。使用時に、オン・ライト７０は、該オン・ライト７０を収容するように構成されるヒータ囲い壁５６Ａ内で開口部５７とはめ込み式に係合する。ライト７０が開口部５７内で適切に位置付けられるとき、ライト７０は所定位置に嵌り込み、ゆえにライト７０をヒータ囲い壁５６Ａに固定する。ライト７０が所定位置にはめ込まれると、星型接点６６はピン・ブリッジ６９のプラグ・デッキ６８にはめ込み式に挿入され所定位置にはめ込まれる。同時に、ピン・ブリッジ６９はハウジング１２内に挿入され所定位置にはめ込まれる。
【００４２】
電気プロング構造１４はブリッジ６９を有する。電気プロング構造は、プロングが所定位置にはまり込むまでハウジング１２の後端をから引き出される（図４Ｂ参照）。これにより、ヒータ囲い壁５６Ａを、接点６０、ＴＣＯ６２、サーミスタ６４及びレジスタ７２に対し引き出す。このヒータ囲い壁５６Ａは、ハウジング１２内の所定位置にはまり込む（図４Ｃ参照）まで保持ビーズ（図示せず）を過ぎてハウジング１２に向かって押し下げられるのが好ましい。
【００４３】
いったんヒータ囲い壁５６Ａがハウジング１２内に固定されると、カバー・ユニット１８（基体２２が含まれた状態）は、所定位置にはまり込むまで堅固に下方に押圧することによってハウジング（図示せず）上の対応する開口部に挿入されるのが好ましい。最後に、任意のインジケータ・ユニット２６又は他の装飾プレート（図示せず）は、インジケータ・ユニットの脚部４０をカバー・ユニット１８によって画定される対応する開口部４３と係合させることによって、カバー・ユニット１８の前部の所定位置にねじ込まれてもよい。
【００４４】
同様に、カバー・ユニット１８の脚部（図示せず）は、ハウジング１２内の対応する溝５０を介してハウジング１２に対し高速スナップフィット式取り付けを可能にする。たとえば図４Ｅを参照されたい。
【００４５】
好適な基体２２の例は、ノボラック樹脂などのバインダを備えた多孔砂に限定されないが、ウレタン樹脂や、架橋ポリエチレンなどの高架橋熱可塑性物質を含む。特に好ましい砂基体は、米国特許出願公開第２００５／０２８４９５２号に記載されるサンド・ウィックに類似する方法で形成できる。代替的基体として、金属、セルロース、及びセラミックの微粒子などの他の微粒子が挙げられる。
【００４６】
空気処理化学物質は好ましくは、殺虫剤、芳香剤及び／又は殺菌剤である。ある場合において、１つ以上の空気処理化学物質が基体２２において単独であるいは組み合わせて使用され得る。
【００４７】
空気処理化学物質が殺虫剤及び／又は防虫剤である場合、有機リン系殺虫剤、リピドアミド殺虫剤、シトロネラ油、天然ピレスリンとピレスラム抽出物、及び合成ピレスロイド等の天然忌避剤が好ましい。好ましい合成ピレスロイドは、アクリナスリン、Ｄ−アレスリンなどのアレスリン、ピナミンＲ（ＰｙｎａｍｉｎＲ）（商標）、ベンフルスリン、ビフェンスリン、ピナミンフォルテＲ（Ｐｙｎａｍｉｎ  ＦｏｒｔｅＲ）（商標）などのバイオアレスリン、Ｓ−バイオアレスリン、エスビオスリン、エスビオール、ビスオレスメトリン、シクロプロスリン、サイフルスリン、β−サイフルスリン、サイハロスリン、λ−サイハロスリン、サイパーメスリン、α−サイパーメスリン、β−サイパーメスリン、サイフェノスリン、デルタメスリン、エンペンスリン、エスフェンバレレート、フェンプロパスリン、フェンバレレート、フルサイスリネート、タウフルバリネート、カデスリン、ペルメスリン、フェノトリン、エトックＲ（ＥｔｏｃＲ）（商標）などのプラレスリン、レスメスリン、テフルトリン、テトラメスリン、トラロメトリン、メトフルスリン、又はトランスフルスリンが挙げられる。例えば米国特許第４，４３９，４１５号に記載される他の揮発性殺虫剤もまた使用できる。
【００４８】
特定の好ましいバージョンにおいて、揮発性殺虫剤は、トランスフルスリン、メトフルスリン、ベーパースリン、ペルメスリン、プラレスリン、テフルトリン、及びエスビオスリンから成る群から選択される。トランスフルスリンが最も好ましい殺虫剤である。
【００４９】
こうした空気処理化学物質を運ぶための可能な溶媒は、イソパール（ＩＳＯＰＡＲ）（商標）Ｃ、イソパール（ＩＳＯＰＡＲ）（商標）Ｅ、イソパール（ＩＳＯＰＡＲ）（商標）Ｌ、ヘプタン、メタノール、アセトン、エタノール、イソプロピルアルコール、ドデセン、及びテトラヒドロフランを含むが、これらに限定されない。イソパール（ＩＳＯＰＡＲ）（商標）Ｃ、イソパール（ＩＳＯＰＡＲ）（商標）Ｅ、イソパール（ＩＳＯＰＡＲ）（商標）Ｌが鎖長を変化させる炭化水素溶剤であり、エクソン・ケミカル・カンパニー（Ｅｘｘｏｎ Ｃｈｅｍｉｃａｌ Ｃｏｍｐａｎｙ）から入手できる。
【００５０】
一般に、揮発性昆虫防除剤は、炭化水素などの有機溶媒に運ばれることになる。防蚊用のある特定の望ましい含浸製剤は、イソパールＣの炭化水素に溶融された５０重量％のトランスフルスリンである。あるいはまた、及びさらに多くの場合に好ましくは、トランスフルスリンはまず液化するために温められ、次に温められた基体にそのまま加えられる。
【００５１】
選択的に昆虫防除特性をさらに有する多種多様の揮発性芳香剤が使用され得る。あるいはまた、一部の芳香剤では、臭気除去機能を付与するものが選択される（例えば、特定のテルペン類）。たとえば、種々の天然及び人工の香料が使用できる。これら香料の限定的ではない例としては、動物性及び植物性の天然香料、ならびに、アルコール類、フェノール類、アルデヒド類、ケトン類、テルペン類、エステル類などの人工的香料が挙げられる。
【００５２】
揮発性空気処理化学物質が殺菌剤である場合、好ましい殺菌剤は限定されないが、グリコール類、トリメチレン類、ジプロピレン類が挙げられる。基体２２の使用及び環境と適合する有機酸もまた使用され得る。
【００５３】
本発明の好ましい実施の形態を上述したが、発明を種々の他の実施の形態で使用される可能性があることは理解されたい。たとえば、通気孔がハウジングの横断面に設置される必要はない。したがって、本発明の原理は、本明細書中に詳細に言及されたものから離れて広範囲の他の方法で適用することができる。さらに他の変形が、発明の精神及び範囲から逸脱することなく行なうこともできる。ゆえに、（好ましい実施の形態よりはむしろ）特許請求の範囲を発明の全範囲を理解するために検証すべきである。
【産業上の利用可能性】
【００５４】
本発明は、製造が簡単である、有効なヒータ・アセンブリを有する空気処理装置を提供する。
【図面の簡単な説明】
【００５５】
【図１】図１は、垂直壁内にプラグ接続された、本発明の空気処理装置の右前方斜視図である。
【図２】図２は、インジケータ・ユニット２６が取り外された状態の、図１のライン２−２に沿った断面図である。
【図３】図３は、図２の装置の分解図である。
【図４】図４Ａから図４Ｃは、本発明のハウジング、電気プラグ構造、及びヒータの組み立ての好ましい方法の一部を示す図であり、図４Ｄ及び図４Ｅは、本発明の装置の組み立ての更なるステップを示す図である。
【図１】
2009527253.tif 000003
【図２】
2009527253.tif 000004
【図３】
2009527253.tif 000005
【図４Ａ】
2009527253.tif 000006
【図４Ｂ】
2009527253.tif 000007
【図４Ｃ】
2009527253.tif 000008
【図４Ｄ】
2009527253.tif 000009
【図４Ｅ】
2009527253.tif 000010
【国際調査報告】
2009527253.tif 000011
2009527253.tif 000012
2009527253.tif 000013
2009527253.tif 000014
2009527253.tif 000015